(57)【特許請求の範囲】
【請求項１】
放熱端末に負荷側循環液を循環させる負荷側循環ポンプを有する負荷側循環回路と、
この負荷側循環回路に配設された凝縮器としての第１負荷側熱交換器と、
前記負荷側循環回路に配設された凝縮器としての第２負荷側熱交換器と、
外気以外の所定の熱源から採熱して回路内を循環する第１冷媒を加熱する第１熱源側熱交換器と、前記第１冷媒を圧縮する第１圧縮機と、該第１圧縮機から吐出された前記第１冷媒を流通させる第１負荷側熱交換器と、該第１負荷側熱交換器から流出した前記第１冷媒を減圧する第１膨張弁と、を有し、前記第１負荷側熱交換器を介して前記負荷側循環液を加熱する第１ヒートポンプ回路と、
外気から採熱して回路内を循環する第２冷媒を加熱する第２熱源側熱交換器と、前記第２冷媒を圧縮する第２圧縮機と、前記第２圧縮機から吐出された前記第２冷媒を流通させる第２負荷側熱交換器と、該第２負荷側熱交換器から流出した前記第２冷媒を減圧する第２膨張弁と、前記第２冷媒の流れ方向を切り換える切換弁と、を有し、前記第２負荷側熱交換器を介して前記負荷側循環液を加熱する第２ヒートポンプ回路と、
前記負荷側循環回路を循環する前記負荷側循環液の温度を検出する温度センサと、
動作を制御する制御装置と、を備え、
前記第１負荷側熱交換器は、前記負荷側循環回路における第２負荷側熱交換器の上流側に直列に配設され、
前記制御装置は、前記負荷側循環液を加熱する暖房運転中に、前記温度センサで検出される前記負荷側循環液の温度が目標温水温度になるように、前記第１圧縮機または前記第２圧縮機の回転数を制御し、
さらに、前記制御装置は、少なくとも前記第２ヒートポンプ回路を作動させて前記負荷側循環液を加熱する暖房運転中に、所定の除霜開始条件が成立した場合、前記第１ヒートポンプ回路の前記第１圧縮機の回転数を最大回転数に増加させて駆動させる除霜準備動作を所定時間行わせた後に、前記切換弁を前記第２冷媒の流れ方向が前記暖房運転時の前記第２冷媒の流れ方向と逆になるように切り換えて前記第２圧縮機から吐出された前記第２冷媒を前記第２熱源側熱交換器に供給して前記第２熱源側熱交換器に発生した霜を溶かす除霜動作を実行する複合熱源ヒートポンプ装置において、
前記制御装置は、前記除霜準備動作における、前記第２ヒートポンプ回路の前記第２圧縮機の回転数を、それまでの前記暖房運転時よりも低下させて予め設定された除霜用の所定回転数で駆動させ、
さらに、前記制御装置は、前記除霜準備動作時には、前記温度センサで検出される前記負荷側循環液の温度が前記目標温水温度になるように前記第１圧縮機および前記第２圧縮機の回転数を調整する制御は行わず、前記温度センサの検出する前記負荷側循環液の温度に関係なく、前記第１圧縮機の回転数を最大回転数で固定させて駆動させると共に、前記第２圧縮機の回転数は予め設定された除霜用の所定回転数で固定させて駆動させるようにしたことを特徴とする複合熱源ヒートポンプ装置。
【発明の詳細な説明】
【技術分野】
【０００１】
本発明は、複合熱源ヒートポンプ装置に係り、特に、暖房運転中に、外気を熱源として利用する第２ヒートポンプ回路の熱源側熱交換器に付着した霜を溶かす除霜動作を行う場合、外気とは別の熱源を利用する第１ヒートポンプ回路の動作にて暖房運転をカバーする複合熱源ヒートポンプ装置に関するものである。
【背景技術】
【０００２】
従来、圧縮機と、負荷側熱交換器と、膨張弁と、熱源側熱交換器とを冷媒配管で環状に接続したヒートポンプ回路を複数（外気とは別の熱源を利用する第１ヒートポンプ回路および外気を熱源として利用する第２ヒートポンプ回路）備えたものにおいて、第１ヒートポンプ回路の第１負荷側熱交換器および第２ヒートポンプ回路の第２負荷側熱交換器を直列に配設し、第２ヒートポンプ回路の負荷側熱交換器にて循環液を加熱して、室内に設置された放熱端末に供給し、室内を暖房する暖房運転を行う複合熱源ヒートポンプ装置において、前記暖房運転中に、第２ヒートポンプ回路の熱源側熱交換器に発生した霜を溶かす除霜動作を開始するための除霜開始条件が成立した場合は、その時点で暖房運転をバックアップするために第１ヒートポンプ回路の圧縮機の駆動を開始させ、第１ヒートポンプ回路の圧縮機の駆動を開始させてから所定時間後に、除霜動作を開始するものがあった。（例えば、特許文献１参照。）
【先行技術文献】
【特許文献】
【０００３】
【特許文献１】特開２０１５−１６１４６７号公報
【発明の概要】
【発明が解決しようとする課題】
【０００４】
ところで、この従来のものにおいて、除霜開始条件が成立する場合というのは、第２ヒートポンプ回路の熱源側熱交換器には多くの霜が付着した状態であり、そのような状態だと第２ヒートポンプ回路の熱源側熱交換器における熱交換効率が悪くなっており、第２ヒートポンプ回路の暖房能力は、通常発揮できる暖房能力に比べて低下している。
【０００５】
上記のように、暖房能力が低下しているにもかかわらず圧縮機をそれまでの回転数で駆動させると、ＣＯＰ（エネルギー消費効率）が悪化するため、前記除霜開始条件が成立してから前記除霜動作が開始されるまでは、ＣＯＰが低い状態で暖房運転を継続してしまうという問題があった。
【０００６】
本発明は、このような背景に鑑みてなされたものであり、暖房運転中に除霜動作に入る場合であっても、暖房運転を継続しつつ、ＣＯＰの低下を抑制することができる複合熱源ヒートポンプ装置を提供することを目的とする。
【課題を解決するための手段】
【０００７】
本発明は上記課題を解決するために、請求項１では、放熱端末に負荷側循環液を循環させる負荷側循環ポンプを有する負荷側循環回路と、この負荷側循環回路に配設された凝縮器としての第１負荷側熱交換器と、前記負荷側循環回路に配設された凝縮器としての第２負荷側熱交換器と、外気以外の所定の熱源から採熱して回路内を循環する第１冷媒を加熱する第１熱源側熱交換器と、前記第１冷媒を圧縮する第１圧縮機と、該第１圧縮機から吐出された前記第１冷媒を流通させる第１負荷側熱交換器と、該第１負荷側熱交換器から流出した前記第１冷媒を減圧する第１膨張弁と、を有し、前記第１負荷側熱交換器を介して前記負荷側循環液を加熱する第１ヒートポンプ回路と、外気から採熱して回路内を循環する第２冷媒を加熱する第２熱源側熱交換器と、前記第２冷媒を圧縮する第２圧縮機と、前記第２圧縮機から吐出された前記第２冷媒を流通させる第２負荷側熱交換器と、該第２負荷側熱交換器から流出した前記第２冷媒を減圧する第２膨張弁と、前記第２冷媒の流れ方向を切り換える切換弁と、を有し、前記第２負荷側熱交換器を介して前記負荷側循環液を加熱する第２ヒートポンプ回路と、前記負荷側循環回路を循環する前記負荷側循環液の温度を検出する温度センサと、動作を制御する制御装置と、を備え、前記第１負荷側熱交換器は、前記負荷側循環回路における第２負荷側熱交換器の上流側に直列に配設され、前記制御装置は、前記負荷側循環液を加熱する暖房運転中に、前記温度センサで検出される前記負荷側循環液の温度が目標温水温度になるように、前記第１圧縮機または前記第２圧縮機の回転数を制御し、さらに、前記制御装置は、少なくとも前記第２ヒートポンプ回路を作動させて前記負荷側循環液を加熱する暖房運転中に、所定の除霜開始条件が成立した場合、前記第１ヒートポンプ回路の前記第１圧縮機の回転数を最大回転数に増加させて駆動させる除霜準備動作を所定時間行わせた後に、前記切換弁を前記第２冷媒の流れ方向が前記暖房運転時の前記第２冷媒の流れ方向と逆になるように切り換えて前記第２圧縮機から吐出された前記第２冷媒を前記第２熱源側熱交換器に供給して前記第２熱源側熱交換器に発生した霜を溶かす除霜動作を実行する複合熱源ヒートポンプ装置において、前記制御装置は、前記除霜準備動作における、前記第２ヒートポンプ回路の前記第２圧縮機の回転数を、それまでの前記暖房運転時よりも低下させて予め設定された除霜用の所定回転数で駆動させ、さらに、前記制御装置は、前記除霜準備動作時には、前記温度センサで検出される前記負荷側循環液の温度が前記目標温水温度になるように前記第１圧縮機および前記第２圧縮機の回転数を調整する制御は行わず、前記温度センサの検出する前記負荷側循環液の温度に関係なく、前記第１圧縮機の回転数を最大回転数で固定させて駆動させると共に、前記第２圧縮機の回転数は予め設定された除霜用の所定回転数で固定させて駆動させるものとした。
【発明の効果】
【０００９】
この発明の請求項１によれば、暖房運転中に除霜開始条件が成立した場合、除霜準備動作として第１圧縮機の回転数を最大回転数に増加させて駆動させ、所定時間経過後に除霜動作を開始するようにしたことで、第１ヒートポンプ回路が安定した暖房能力が出せる時間が経過するまでは除霜動作の開始を待ち、第１圧縮機の回転数を最大回転数に増加させて駆動させて第２ヒートポンプ回路の暖房能力低下分を早急にカバーし、安定した暖房能力を確保して放熱端末に供給される負荷側循環液の温水温度を低下させないようにするので、安定した暖房能力を確保しながら暖房運転を継続できる状態で除霜動作を開始することができる。さらに、制御装置は、除霜準備動作における、第２ヒートポンプ回路の第２圧縮機の回転数をそれまでの暖房運転時よりも低下させて予め設定された除霜用の所定回転数で駆動させることで、第２熱源側熱交換器が着霜した状態での運転、すなわち暖房能力が低下した状態での運転を制限し、第２圧縮機の消費電力を低下させてＣＯＰの低下を抑制することができる。その上、制御装置は、除霜準備動作時には、温度センサで検出される負荷側循環液の温度が目標温水温度になるように第１圧縮機および第２圧縮機の回転数を調整する制御は行わず、温度センサの検出する負荷側循環液の温度に関係なく、第１圧縮機の回転数を最大回転数で固定させて駆動させると共に、第２圧縮機の回転数は予め設定された除霜用の所定回転数で固定させて駆動させる。そのように制御すると、負荷側循環液の温度が目標温水温度を超えることがあるが、除霜動作に入ると、第２負荷側熱交換器に負荷側循環液の熱が第２冷媒に吸熱され負荷側循環液の温水温度が低下するため、上記の第１圧縮機および第２圧縮機の回転数固定制御を行うことで、除霜動作に入る前の除霜準備動作期間中に負荷側循環液の温水温度を高めておき、除霜動作時における負荷側循環液の温水温度の落ち込みを軽減することができるものである。
【図面の簡単な説明】
【００１１】
【図１】本発明の実施形態に係る複合熱源ヒートポンプ装置の主要なユニットを示す外観構成図。
【図２】同実施形態に係る複合熱源ヒートポンプ装置の全体構成を示す構成図。
【図３】同実施形態に係る暖房運転時の動作を説明する説明図。
【図４】同実施形態に係る暖房運転中に除霜動作が行われる場合の動作を説明する説明図。
【図５】同実施形態に係る暖房運転中に除霜動作が行われる場合の各部の動作を示すタイムチャート。
【図６】同実施形態に係る暖房運転中に除霜動作が行われる場合の各部の動作を示す他のタイムチャート。
【発明を実施するための形態】
【００１２】
本発明の実施形態に係る複合熱源ヒートポンプ装置１の構成について適宜図１と図２を参照しながら詳細に説明する。
図１に示すように、複合熱源ヒートポンプ装置１は、第１ヒートポンプ回路４０（図２参照）を備える地中熱ヒートポンプユニット４と、第２ヒートポンプ回路５０（図２参照）を備える空気熱ヒートポンプユニット５とを有している。また、複合熱源ヒートポンプ装置１は、放熱端末３６に負荷側循環液Ｌ（例えば、水や不凍液）を循環させる負荷側循環回路３０と、熱源側循環回路２０と、複合熱源ヒートポンプ装置１の動作を制御する制御手段としての制御装置６（６１、６２）と、制御装置６に信号を送るリモコン６０とを有しており、放熱端末３６が設置された室内の暖房または冷房を行うものである。
【００１３】
図２に示すように、本実施形態に係る複合熱源ヒートポンプ装置１は、外気とは別の熱源、ここでは地中熱源を利用して放熱端末３６側の負荷側循環液Ｌを加熱または冷却する第１ヒートポンプ回路４０の第１負荷側熱交換器４１と、外気を熱源として利用して放熱端末３６側の負荷側循環液Ｌを加熱または冷却する第２ヒートポンプ回路５０の第２負荷側熱交換器５１とを負荷側循環回路３０を循環する負荷側循環液Ｌの流れに対して、第１負荷側熱交換器４１が第２負荷側熱交換器５１よりも上流側に配設されている。この複合熱源ヒートポンプ装置１は、暖房装置および冷房装置として機能させることができるが、この実施形態においては主として暖房装置として使用している場合の構成要素および動作について説明する。
【００１４】
第１ヒートポンプ回路４０は、第１冷媒Ｃ１を圧縮する回転数可変の第１圧縮機４３と、第１四方弁４４と、第１負荷側熱交換器４１と、第１減圧手段としての第１膨張弁４５と、第１熱源側熱交換器４６と、これらを環状に接続する第１冷媒配管４２とを備えて構成されている。
【００１５】
前記第１冷媒配管４２に設けられた第１四方弁４４は、第１ヒートポンプ回路４０における第１冷媒Ｃ１の流れ方向を切り換える切換弁としての機能を有し、第１圧縮機４３から吐出された第１冷媒Ｃ１を、第１負荷側熱交換器４１、第１膨張弁４５、第１熱源側熱交換器４６の順に流通させ、第１圧縮機４３に戻す流路を形成する状態（暖房運転時の状態）と、第１圧縮機４３から吐出された第１冷媒Ｃ１を、第１熱源側熱交換器４６、第１膨張弁４５、第１負荷側熱交換器４１の順に流通させ、第１圧縮機４３に戻す流路を形成する状態（冷房運転時の状態）とに切換可能なものである。
【００１６】
また、図２に示す地中熱ヒートポンプユニット４において、符号４２ａは、第１圧縮機４３から吐出された第１冷媒Ｃ１の温度を検出する第１冷媒吐出温度センサであり、符号４２ｂは、第１膨張弁４５から第１熱源側熱交換器４６までの第１冷媒配管４２に設けられ、低圧側（暖房運転時）または高圧側（冷房運転時）の第１冷媒Ｃ１の温度を検出する第１冷媒温度センサである。
【００１７】
第２ヒートポンプ回路５０は、第２冷媒Ｃ２を圧縮する回転数可変の第２圧縮機５３と、第２四方弁５４と、第２負荷側熱交換器５１と、第２減圧手段としての第２膨張弁５５と、送風ファン５６の作動により送られる外気との熱交換を行う第２熱源側熱交換器５７と、これらを環状に接続する第２冷媒配管５２とを備えて構成されている。
【００１８】
前記第２冷媒配管５２に設けられた第２四方弁５４は、第２ヒートポンプ回路５０における第２冷媒Ｃ２の流れ方向を切り換える切換弁としての機能を有し、第２圧縮機５３から吐出された第２冷媒Ｃ２を、第２負荷側熱交換器５１、第２膨張弁５５、第２熱源側熱交換器５７の順に流通させ、第２圧縮機５３に戻す流路を形成する状態（暖房運転時の状態）と、第２圧縮機５３から吐出された第２冷媒Ｃ２を、第２熱源側熱交換器５７、第２膨張弁５５、第２負荷側熱交換器５１の順に流通させ、第２圧縮機５３に戻す流路を形成する状態（除霜動作時または冷房運転時の状態）とに切換可能なものである。
本実施形態では、第２熱源側熱交換器５７が低温となり、着霜した場合に、第２圧縮機５３から吐出される第２冷媒Ｃ２が第２熱源側熱交換器５７に向けて流れるように第２四方弁５４が切り換えられて、第２圧縮機５３からの高温の第２冷媒Ｃ２により第２熱源側熱交換器５７に発生した霜が溶かされるようになっている。
【００１９】
また、図２に示す空気熱ヒートポンプユニット５において、符号５２ａは、第２圧縮機５３から吐出された第２冷媒Ｃ２の温度を検出する第２冷媒吐出温度センサであり、符号５２ｂは、第２膨張弁５５から第２熱源側熱交換器５７までの第２冷媒配管５２に設けられ、低圧側（暖房運転時）または高圧側（除霜動作時または冷房運転時）の第２冷媒Ｃ２の温度を検出する第２冷媒温度センサであり、符号５２ｃは外気温度を検出する外気温度センサである。
【００２０】
なお、第１ヒートポンプ回路４０および第２ヒートポンプ回路５０の冷媒としては、Ｒ４１０ＡやＲ３２等のＨＦＣ冷媒や二酸化炭素冷媒等の任意の冷媒を用いることができる。
【００２１】
前記第１負荷側熱交換器４１、第１熱源側熱交換器４６、および第２負荷側熱交換器５１は、例えばプレート式熱交換器で構成されている。このプレート式熱交換器は、複数の伝熱プレートが積層され、冷媒を流通させる冷媒流路と循環液等の流体を流通させる流体流路とが各伝熱プレートを境にして交互に形成されている。
【００２２】
熱源側循環回路２０は、回転数可変の熱源側循環ポンプ２２と、第１熱源側熱交換器４６と、前記第１熱源側熱交換器４６を流通する第１冷媒Ｃ１と熱交換する熱源として（この例では地中に）設置された地中熱交換器２３とが、熱媒配管としての熱源側配管２１によって環状に接続されている。この熱源側配管２１には、熱源側循環ポンプ２２によって、熱媒として熱源側循環液Ｈ（水や不凍液）が循環されると共に、熱源側循環液Ｈを貯留し熱源側循環回路２０の圧力を調整する熱源側シスターン２４が設けられている。なお、地中熱交換器２３は、地中に設けられるのには限られず、例えば、湖沼、貯水池、井戸等の水源中に設けられていてもよい。
【００２３】
負荷側循環回路３０は、第１負荷側熱交換器４１と、第２負荷側熱交換器５１と、床暖房パネルやパネルコンベクタやファンコイル等の負荷端末としての放熱端末３６とが、負荷側配管３１によって上流側から順に環状に接続されている。この負荷側配管３１には、負荷側循環回路３０に負荷側循環液Ｌを循環させる負荷側循環ポンプ３２が設けられており、放熱端末３６毎に分岐した負荷側配管３１の各々には、その開閉により放熱端末３６への負荷側循環液Ｌの供給を制御する開閉手段としての熱動弁３３がそれぞれ設けられ、熱動弁３３は、放熱端末３６が設置された室温が所定の温度になるように開閉が制御されるものであり、図２では放熱端末３６外に設けられているが、放熱端末３６に内蔵されていてもよいものである。なお、放熱端末３６は、図２では２つ設けられているが、１つであってもよく、３つ以上であってもよく、数量や仕様が特に限定されるものではない。
【００２４】
また、図２に示す負荷側循環回路３０において、符号３４は、負荷側配管３１に設けられ放熱端末３６から第１負荷側熱交換器４１に流入する負荷側循環液Ｌの温度を検出する戻り温度センサであり、符号３５は、負荷側循環液Ｌを貯留し負荷側循環回路３０の圧力を調整する負荷側シスターンである。
【００２５】
制御装置６は、熱源側循環回路２０、負荷側循環回路３０、および第１ヒートポンプ回路４０の動作を制御する地中熱ヒートポンプ制御装置６１と、第２ヒートポンプ回路５０の動作を制御する空気熱ヒートポンプ制御装置６２とを備えている。制御装置６は、各種のデータやプログラムを記憶する記憶部と、演算・制御処理を行う制御部とを備えており、外気温度センサ５２ｃ等の温度センサ、およびリモコン６０からの信号を受けて、複合熱源ヒートポンプ装置１の動作を制御できるようになっている。
【００２６】
ここで、暖房運転時における地中熱ヒートポンプ制御装置６１について説明すると、地中熱ヒートポンプ制御装置６１は、第１負荷側熱交換器４１の直上流側の負荷側循環液Ｌの温度を検出する戻り温度センサ３４の検出値に応じて、第１圧縮機４３の回転数を制御する。特にこの例では、戻り温度センサ３４により検出される負荷側循環液Ｌの戻り温水温度が、例えばリモコン６０の設定温度に基づいて設定される目標温水温度になるように、第１圧縮機４３の回転数を制御する。
【００２７】
また、地中熱ヒートポンプ制御装置６１は、第１冷媒吐出温度センサ４２ａにより検出される第１冷媒Ｃ１の冷媒吐出温度に応じて、前記第１膨張弁４５の弁開度を制御する。特にこの例では、第１冷媒吐出温度センサ４２ａにより検出される第１冷媒Ｃ１の冷媒吐出温度が、例えばリモコン６０の設定温度に対応した制御上の目標冷媒吐出温度となるように、第１膨張弁４５の弁開度を制御する。
【００２８】
さらに、地中熱ヒートポンプ制御装置６１は、第１冷媒温度センサ４２ｂにより検出される第１冷媒Ｃ１の温度に応じて、熱源側循環ポンプ２２の回転数を制御する。特にこの例では、第１冷媒温度センサ４２ｂにより検出される第１冷媒Ｃ１の温度が略一定値になるように、熱源側循環ポンプ２２の回転数を制御する。
【００２９】
また、地中熱ヒートポンプ制御装置６１は、負荷側循環ポンプ３２の回転数を制御する。特にこの例では、暖房運転のみが行われているときは、定速（一定回転数）にて回転するように負荷側循環ポンプ３２の回転数が制御されるが、暖房運転中に、後述する除霜動作が行われるときは、暖房運転時における上記一定回転数よりも低い所定の除霜回転数で負荷側循環ポンプ３２の回転数を制御する。例えば、暖房運転のみが行われているときの回転数が３５００ｒｐｍとすると、除霜動作時の回転数は２５００ｒｐｍとすることができるが、これに限定されるものではなく、暖房運転のみが行われているときの負荷側循環ポンプ３２の回転数、および除霜動作時の回転数は、複合熱源ヒートポンプ装置１の仕様や圧縮機の性能、設置環境、熱負荷等を勘案しながら、適宜設定される。
【００３０】
ここで、暖房運転時における空気熱ヒートポンプ制御装置６２について説明すると、空気熱ヒートポンプ制御装置６２は、前記戻り温度センサ３４の検出値に応じて、第２圧縮機５３の回転数を制御する。特にこの例では、戻り温度センサ３４により検出される負荷側循環液Ｌの戻り温水温度が、例えばリモコン６０の設定温度に基づいて設定される目標温水温度になるように、第２圧縮機５３の回転数を制御する。なお、この空気熱ヒートポンプ制御装置６２と地中熱ヒートポンプ制御装置６１とは、必要に応じて互いに連係しつつ、対象となる第１圧縮機４３または第２圧縮機５３の制御を行う。
【００３１】
また、空気熱ヒートポンプ制御装置６２は、第２冷媒吐出温度センサ５２ａにより検出される第２冷媒Ｃ２の冷媒吐出温度に応じて、前記第２膨張弁５５の弁開度を制御する。特にこの例では、第２冷媒吐出温度センサ５２ａにより検出される第２冷媒Ｃ２の冷媒吐出温度が、例えばリモコン６０の設定温度に対応した制御上の目標冷媒吐出温度となるように、第２膨張弁５５の弁開度を制御する。なお、この空気熱ヒートポンプ制御装置６２と地中熱ヒートポンプ制御装置６１とは、必要に応じて互いに連係しつつ、対象となる第１膨張弁４５または第２膨張弁５５の制御を行う。
【００３２】
さらに、空気熱ヒートポンプ制御装置６２は、外気温度センサ５２ｃにより検出された外気の温度に応じて、送風ファン５６の回転数を制御する。
【００３３】
また、空気熱ヒートポンプ制御装置６２は、暖房運転中に、第２熱源側熱交換器５７に霜が付着していると判断した場合、その霜を溶かす除霜動作を行わせる。
【００３４】
前記除霜動作の形態は、暖房運転時と逆方向に第２冷媒Ｃ２を循環させる形態であり、具体的に除霜動作は、第２膨張弁５５を除霜動作前の暖房運転時よりも所定の開度（例えば全開）まで拡大すると共に、第２四方弁５４を除霜動作時の状態に切り換えて第２冷媒Ｃ２の流れ方向が暖房運転時の第２冷媒Ｃ２の流れ方向と逆になるようにし、第２圧縮機５３から吐出された第２冷媒Ｃ２を、第２熱源側熱交換器５７に直接供給して第２熱源側熱交換器５７に発生した霜を溶かす。第２熱源側熱交換器５７にて霜との熱交換で温度低下した第２膨張弁５５で減圧されることなく第２膨張弁５５を通過し、第２負荷側熱交換器５１を流通して再び第２圧縮機５３に戻るものである。
【００３５】
前記除霜動作の開始は、例えば、外気温度センサ５２ｃで検出した外気温度が予め設定された除霜開始温度に達したか否か、または、第２冷媒温度センサ５２ｂで検出した冷媒温度が予め設定された除霜開始温度に達したか否か、または、外気温度センサ５２ｃで検出した外気温度および第２冷媒温度センサ５２ｂで検出した冷媒温度がそれぞれ予め設定された除霜開始温度に達したか否かを制御装置６（例えば、空気熱ヒートポンプ制御装置６２）が判断、すなわち、所定の除霜開始条件が成立したか否かを制御装置６が判断して、除霜開始条件が成立したと判断したら除霜動作を開始することができる。また、除霜動作の完了は、第２冷媒温度センサ５２ｂで検出する第２熱源側熱交換器５７を流通してきた第２冷媒Ｃ２の温度が、予め設定された除霜終了温度に達したか否かを制御装置６（例えば、空気熱ヒートポンプ制御装置６２）が判断、すなわち所定の除霜終了条件が成立したか否かを制御装置６が判断して、除霜終了条件が成立したと判断したら除霜動作を終了することができる。
【００３６】
次に、図１および図２に示す複合熱源ヒートポンプ装置１の暖房運転時の動作について図３および図４を用いて説明する。前記暖房運転は、第１ヒートポンプ回路４０または第２ヒートポンプ回路５０の何れか一方を作動させて行う場合と、第１ヒートポンプ回路４０および第２ヒートポンプ回路５０の双方を作動させて行う場合があるが、ここでは、第１ヒートポンプ回路４０および第２ヒートポンプ回路５０の双方を作動させて行う場合について説明するものである。なお、図３および図４中の矢印は、冷媒や循環液の流れる方向を示したものである。
【００３７】
リモコン６０から放熱端末３６による室内の加熱の指示がなされると、まず、制御装置６は、外気温度を基準として、地中熱ヒートポンプユニット４の第１圧縮機４３と空気熱ヒートポンプ装置５の第２圧縮機５３のうち、一方を主動力源に設定し、他方を補助動力源に設定する。
【００３８】
具体的には、外気温度センサ５２ｃで検出した外気温度が所定の基準温度（例えば、５℃）以上であれば、空気熱ヒートポンプユニット５の方が採熱効率が高いため、第２圧縮機５３を主動力源とすると共に第１圧縮機４３を補助動力源として設定し、外気温度センサ５２ｃで検出した外気温度が所定の基準温度（例えば、５℃）未満であれば、地中熱ヒートポンプユニット４の方が採熱効率が高いため、第１圧縮機４３を主動力源とすると共に第２圧縮機５３を補助動力源として設定する。
【００３９】
そして、制御装置６は、第１四方弁４４および第２四方弁５４を暖房運転時の状態となるように流路を切り換え、第１圧縮機４３、第１膨張弁４５、熱源側循環ポンプ２２、第２圧縮機５３、第２膨張弁５５、送風ファン５６、および負荷側循環ポンプ３２を駆動させて暖房運転を開始させる。この時、熱動弁３３も開弁される。
【００４０】
前記暖房運転中、第１ヒートポンプ回路４０では、第１圧縮機４３で圧縮された高温・高圧のガス状の第１冷媒Ｃ１が第１圧縮機４３から吐出され、第１冷媒Ｃ１は凝縮器として機能する第１負荷側熱交換器４１にて、負荷側循環回路３０を流れる負荷側循環液Ｌと熱交換を行って負荷側循環液Ｌに熱を放出して加熱しながら気液混合状態で高圧の冷媒に変化する。そして、この状態の第１冷媒Ｃ１が第１膨張弁４５において減圧されて低圧の冷媒となって蒸発しやすい状態となり、蒸発器として機能する第１熱源側熱交換器４６において、熱源側循環回路２０を流れる熱源側循環液Ｈと熱交換を行って熱源側循環液Ｈから吸熱して低温・低圧のガス状の第１冷媒Ｃ１となって、再び第１圧縮機４３へ戻るものである。
【００４１】
一方、第２ヒートポンプ回路５０では、第２圧縮機５３で圧縮された高温・高圧のガス状の第２冷媒Ｃ２が第２圧縮機５３から吐出され、第２冷媒Ｃ２は凝縮器として機能する第２負荷側熱交換器５１にて、負荷側循環回路３０を流れる負荷側循環液Ｌと熱交換を行って負荷側循環液Ｌに熱を放出して加熱しながら気液混合状態で高圧の冷媒に変化する。そして、この状態の第２冷媒Ｃ２が第２膨張弁５５において減圧されて低圧の冷媒となって蒸発しやすい状態となり、蒸発器として機能する第２熱源側熱交換器５７において、送風ファン５６の作動により送られる外気と熱交換を行って外気から吸熱して低温・低圧のガス状の第２冷媒Ｃ２となって、再び第２圧縮機５３へ戻るものである。
【００４２】
また、熱源側循環回路２０では、地中熱交換器２３によって地中熱が採熱され、その熱を帯びた熱源側循環液Ｈが熱源側循環ポンプ２２の駆動により第１熱源側熱交換器４６に供給される。そして第１熱源側熱交換器４６にて第１冷媒Ｃ１と熱源側循環液Ｈとで熱交換が行われ、地中熱交換器２３にて採熱された地中熱が第１冷媒Ｃ１側に汲み上げられ、第１冷媒Ｃ１が加熱され蒸発するものである。
【００４３】
また、負荷側循環回路３０では、一定回転数で駆動される負荷側循環ポンプ３２の駆動により第１負荷側熱交換器４１に流入した負荷側循環液Ｌは、凝縮器として機能する第１負荷側熱交換器４１において第１冷媒Ｃ１と熱交換されて加熱された後、凝縮器として機能する第２負荷側熱交換器５１において第２冷媒Ｃ２と熱交換されてさらに加熱され、加熱された負荷側循環液Ｌは、その後、放熱端末３６に供給されて室内の暖房が行われ、放熱端末３６にて放熱された温度低下した負荷側循環液Ｌは再び第１負荷側熱交換器４１へと戻るものである。
【００４４】
なお、暖房運転中に除霜動作が実行される場合は、第２四方弁５４が暖房運転時の状態から除霜運転時の状態に切り換えられ、図４に示すように、第２冷媒Ｃ２の流れ方向が暖房運転時の第２冷媒Ｃ２の流れ方向と逆方向になる。
【００４５】
次に、特徴的な動作として、暖房運転中に除霜動作が実行される場合の複合熱源ヒートポンプ装置１の動作について図５のタイムチャートを用いて説明する。なお、ここでは、第２圧縮機５３が主動力源として設定されると共に第１圧縮機４３が補助動力源として設定され、第１ヒートポンプ回路４０および第２ヒートポンプ回路５０の両方を作動させて暖房運転が行われているものとし、図５のタイムチャートにおける時間ｔ０を、ここでは第２圧縮機５３の回転数が最大回転数である９０ｒｐｓ、第１圧縮機４３の回転数が５０ｒｐｓでそれぞれ駆動された状態での任意の時間とする。
【００４６】
前記第１負荷側熱交換器４１および第２負荷側熱交換器５１で加熱された負荷側循環液Ｌを負荷側循環ポンプ３２の駆動によって放熱端末３６に供給する暖房運転を行っている最中に、制御装置６が、外気温度センサ５２ｃで検出した外気温度等から除霜開始条件が成立したと判断した場合（時間ｔ１）、除霜準備動作に入る（時間ｔ１〜）。
【００４７】
制御装置６は、除霜開始条件が成立したと判断した場合、除霜準備動作として、第２圧縮機５３の回転数をそれまでの最大回転数の９０ｒｐｓから低下させて、予め設定された除霜用の所定回転数である５０ｒｐｓで駆動させると共に（時間ｔ１〜）、第１圧縮機４３の回転数をそれまでの５０ｒｐｓから増加させて最大回転数である９０ｒｐｓで駆動させる（時間ｔ１〜）。なお、第１圧縮機４３および第２圧縮機５３の最大回転数は、厳格に適用する趣旨ではなく、許容回転数や許容回転数から安全率を見込んだもの等も含まれるものとする。
【００４８】
ここで、前記除霜開始条件が成立するような状況というのは、第２ヒートポンプ回路５０の第２熱源側熱交換器５７には多くの霜が付着した状態であり、そのような状態だと第２熱源側熱交換器５７における熱交換効率が悪く、第２ヒートポンプ回路５０の暖房能力（暖房出力）も通常発揮できる暖房能力に比べて低下し、暖房能力が低下すると、放熱端末３６に供給する温水の温度も低下するものであるが、放熱端末３６には目標とする温水温度を供給しようとするため、第２ヒートポンプ回路５０の第２圧縮機５３の回転数は、例えば最大回転数で駆動された状態となっている。暖房能力が低下しているにもかかわらず第２圧縮機５３を最大回転数で駆動させると、ＣＯＰ（ここでは、ＣＯＰ＝暖房能力／圧縮機の消費電力で表されるエネルギー消費効率とする）が悪化するため、本実施形態では先に説明したように、除霜開始条件が成立したと判断した場合は、第２圧縮機５３の回転数を低下させることで、第２圧縮機５３の消費電力を低下させてＣＯＰの低下を抑制することができるものである。なお、第２圧縮機５３の回転数を低下させると暖房能力も低下するが、第２熱源側熱交換器５７が着霜したことによる暖房能力の低下に比べるとその度合いはかなり小さい。
【００４９】
さらに、除霜開始条件が成立したと判断した場合は、第２圧縮機５３の回転数を低下させるだけなく、第２ヒートポンプ回路５０の暖房能力低下分をカバーするために第１圧縮機４３の回転数を最大回転数まで増加させるので、安定した暖房能力を確保して放熱端末３６に供給される負荷側循環液Ｌの温水温度を低下させないように暖房運転を継続させることができるものである。
【００５０】
また、この除霜準備動作が行われる時間ｔ１〜時間ｔ２の期間中は、暖房運転時に通常行われる戻り温度センサ３４の検出する負荷側循環液Ｌの温度が目標温水温度になるように第１圧縮機４３および第２圧縮機５３の回転数を調整するといった制御は行わず、戻り温度センサ３４の検出する負荷側循環液Ｌの温度に関係なく第１圧縮機４３の回転数は最大回転数で固定されて駆動されると共に、第２圧縮機５３の回転数は予め設定された除霜用の所定回転数で固定されて駆動される。そのように制御すると、負荷側循環液Ｌの温度が目標温水温度を超えることがあるが、除霜動作に入ると、第２負荷側熱交換器５１に負荷側循環液Ｌの熱が第２冷媒Ｃ２に吸熱され負荷側循環液Ｌの温水温度が低下するため、上記の第１圧縮機４３および第２圧縮機５３の回転数固定制御を行うことで、除霜動作に入る前の除霜準備動作期間中に負荷側循環液Ｌの温水温度を高めておき、除霜動作時における負荷側循環液Ｌの温水温度の落ち込みを軽減することができるものである。
【００５１】
前記制御装置６は、上述の除霜準備動作が予め設定された第１の時間（時間ｔ１〜ｔ２）行われたと判断すると、第２圧縮機５３の駆動を停止させると共に（時間ｔ２）、第２膨張弁５５、送風ファン５６の駆動を停止させ、一旦、第２ヒートポンプ回路５０の作動を停止させ、また、負荷側循環ポンプ３２の回転数をそれまでの３５００ｒｐｍから低下させて、所定の除霜回転数（ここでは２５００ｒｐｍ）で駆動させる（時間ｔ２〜）。
【００５２】
ここで、第２ヒートポンプ回路５０を停止させる時は、第２膨張弁５５の開度を全開とし、予め設定された第２の時間（時間ｔ２〜時間ｔ３）が経過するのを待つものであるが、これは、第２膨張弁５５の開度を全開として所定の時間の経過を待つことで、第２圧縮機５３の吐出側（高圧側）の圧力と吸込側（低圧側）の差圧をなくし、第２圧縮機５３等の機能部品を次の起動時に安全に起動させるために行っているものである。なお、本実施形態では、時間ｔ２〜時間ｔ３の間、第２ヒートポンプ回路５０の作動を停止させているが、この期間、第２圧縮機５３を駆動させたまま第２膨張弁５５の開度を全開として、予め設定された第２の時間（時間ｔ２〜時間ｔ３）が経過するのを待つことで、第２圧縮機５３の吐出側（高圧側）の圧力と吸込側（低圧側）の差圧をなくすこともできるため、第２ヒートポンプ回路５０を作動させたまま次の動作へ移行することも可能である。
【００５３】
続いて、前記制御装置６は、第２ヒートポンプ回路５０を停止してから予め設定された第２の時間（時間ｔ２〜時間ｔ３）が経過したと判断すると、第２四方弁５４を除霜動作時の状態に切り換えて除霜動作を開始する（時間ｔ３〜）。この時、負荷側循環ポンプ３２は駆動しており、第１ヒートポンプ回路４０も動作しているので、暖房運転を継続した状態で除霜動作が行われることとなる。
【００５４】
前記除霜動作は、先に説明したように、第２膨張弁５５を全開とすると共に第２四方弁５４を除霜動作時の状態に切り換えて第２冷媒Ｃ２の流れ方向が暖房運転時の第２冷媒Ｃ２の流れ方向と逆となるようにし（図４の第２ヒートポンプ回路５０参照）、５０ｒｐｓで駆動する第２圧縮機５３から吐出された第２冷媒Ｃ２を直接的に第２熱源側熱交換器５７に供給して、第２熱源側熱交換器５７に発生した霜を溶かし、第２熱源側熱交換器５７から流出した第２冷媒Ｃ２を、第２膨張弁５５で減圧されることなく第２膨張弁５５を通過させ、第２負荷側熱交換器５１を流通させて、再び第２圧縮機５３に戻す。
【００５５】
この除霜動作時、第２負荷側熱交換器５１では、第２冷媒Ｃ２と負荷側循環液Ｌとの間で熱交換が行われ、負荷側循環液Ｌの熱が第２冷媒Ｃ２側に吸熱されて、その熱が第２熱源側熱交換器５７の除霜用として利用されるものであるが、除霜動作を行っているときの負荷側循環ポンプ３２の回転数は、除霜動作が行われる前の暖房運転時における回転数（ここでは３５００ｒｐｍ）よりも低い所定の除霜回転数（ここでは２５００ｒｐｍ）で駆動している。ここで、第１負荷側熱交換器４１に流入する負荷側循環液Ｌの温度が一定で、第１負荷側熱交換器４１において第１冷媒Ｃ１から負荷側循環液Ｌに一定の熱量が与えられた場合を想定すると、負荷側循環ポンプ３２の回転数を、例えば３５００ｒｐｍとしたときよりも２５００ｒｐｍと低くしたときの方が、単位時間当たりの負荷側循環液Ｌの循環流量が減少し、温度効率が上がるため、第１負荷側熱交換器４１から流出する負荷側循環液Ｌの温度が高くなるものである。よって、除霜動作時に負荷側循環ポンプ３２が所定の除霜回転数で駆動すると、除霜動作が行われる前の暖房運転時と比較して、単位時間当たりの負荷側循環液Ｌの循環流量が減少し、温度効率が上がるため、第１負荷側熱交換器４１から流出する負荷側循環液Ｌの温度が高くなるので、第２負荷側熱交換器５１において負荷側循環液Ｌ側から第２冷媒Ｃ２側に吸熱される熱が多くなり、第２冷媒Ｃ２の温度もその分上昇し、第２熱源側熱交換器５７に供給される第２冷媒Ｃ２の温度も上がるため、第２熱源側熱交換器５７に発生した霜も溶けやすくなるものである。したがって、除霜動作時の負荷側循環ポンプ３２の回転数を、除霜動作が行われる前の暖房運転時よりも低い除霜回転数で駆動させた方が、除霜動作時間を短縮することができ、除霜動作時間を長引かせることがないものである。
【００５６】
また、除霜動作時は、第１ヒートポンプ回路４０の第１圧縮機４３を最大回転数（９０ｒｐｓ）で駆動させており、第１負荷側熱交換器４１から流出する負荷側循環液Ｌの温度を高めることができるため、第２負荷側熱交換器５１に流入する負荷側循環液Ｌの温度が高くなり、第２負荷側熱交換器５１を流出する循環液Ｌの温度も高く保つことができ、放熱端末３６へ供給される負荷側循環液Ｌの温度低下をできるだけ抑制し、できるだけ暖房感を損ねないように暖房運転を継続できるものである。さらに、第２負荷側熱交換器５１に流入する負荷側循環液Ｌの温度が高くなるので、第２負荷側熱交換器５１において負荷側循環液Ｌ側から第２冷媒Ｃ２側に吸熱される熱が多くなり、第２冷媒Ｃ２の温度もその分上昇し、第２圧縮機５３から吐出されて第２熱源側熱交換器５７に供給される第２冷媒Ｃ２の温度も上がるため、第２熱源側熱交換器５７に発生した霜も溶けやすくなり、除霜動作を行っている時間を短縮することができ、除霜動作時間を長引かせることがないものである。
【００５７】
そして、除霜動作を行っている時に、制御装置６が、第２冷媒温度センサ５２ｂで検出する第２熱源側熱交換器５７を流通してきた第２冷媒Ｃ２の温度から所定の除霜終了条件が成立したと判断すると、第２圧縮機５３の駆動を停止させ（時間ｔ４）、除霜動作を終了させると同時に、一旦、第２ヒートポンプ回路５０の作動を停止させる。
【００５８】
時間ｔ４において、第２ヒートポンプ回路５０の作動を停止させた時、第２膨張弁５５の開度は全開であり、予め設定された第３の時間（時間ｔ４〜時間ｔ５）が経過するのを待つものであるが、これは、第２膨張弁５５の開度を全開として所定の時間の経過を待つことで第２圧縮機５３の吐出側（高圧側）と吸込側（低圧側）の差圧をなくし、第２圧縮機５３等の機能部品を次の起動時に安全に起動させるために行っているものである。なお、本実施形態では、時間ｔ４〜ｔ５の間、第２ヒートポンプ回路５０の作動を一旦停止させているが、除霜動作中は第２膨張弁５５の開度は全開であり、第２圧縮機５３の吐出側（高圧側）と吸込側（低圧側）の差圧はないため、除霜動作が終了したときに、予め設定された第３の時間（時間ｔ４〜時間ｔ５）を省略して、第２圧縮機５３の駆動を停止させることなく第２ヒートポンプ回路５０を作動させたまま、第２四方弁５４を暖房運転時の状態に切り換えて次の動作へ移行することも可能である。
【００５９】
前記制御装置６が、前記第３の時間が経過したと判断すると、第２四方弁５４を暖房運転時の状態に切り換え、第２圧縮機５３を除霜準備動作に入る前の暖房運転時の回転数（９０ｒｐｓ）で駆動を再開させると共に（時間ｔ５〜）、第２膨張弁５５、送風ファン５６の駆動を再開させ、第２ヒートポンプ回路５０の作動を再開させ、さらに、負荷側循環ポンプ３２の回転数を、所定の除霜回転数（２５００ｒｐｍ）から除霜動作が行われる前の暖房運転時における回転数（３５００ｒｐｍ）に戻す（時間ｔ５〜）。
【００６０】
そして、第２ヒートポンプ回路５０の作動を再開させてから、予め設定された一定時間（時間ｔ５〜時間ｔ６）として例えば５分が経過したと判断すると、第１圧縮機４３の回転数（９０ｒｐｓ）を除霜準備動作に入る前の暖房運転時の回転数（５０ｒｐｓ）に戻して（時間ｔ６〜）、第２圧縮機５３を主動力源とする第２ヒートポンプ回路５０主体の暖房運転の状態にスムーズに移行させることができるものである。
【００６１】
以上説明したように、制御装置６が、暖房運転中に除霜開始条件が成立したと判断した場合、除霜準備動作として第２圧縮機５３の回転数をそれまでの暖房運転時よりも低下させて、予め設定された除霜用の所定回転数である５０ｒｐｓで駆動させることで、第２熱源側熱交換器５７が着霜した状態での運転、すなわち暖房能力が低下した状態での運転を制限し、第２圧縮機５３の消費電力を低下させてＣＯＰの低下を抑制することができるものであり、さらに、暖房運転中に除霜開始条件が成立したと判断した場合、除霜準備動作として第１圧縮機４３の回転数をそれまでよりも増加させて駆動させ、所定時間経過後に除霜動作を開始するようにしたことで、第１ヒートポンプ回路４０が安定した暖房能力が出せる時間が経過するまでは除霜動作の開始を待つので、安定した暖房能力を確保し暖房運転を継続できる状態で除霜動作を開始することができ、その上、除霜準備動作として第１圧縮機４３は最大回転数である９０ｒｐｓで駆動させることで、第２ヒートポンプ回路５０の暖房能力低下分を早急にカバーし、安定した暖房能力を確保して放熱端末３６に供給される負荷側循環液Ｌの温水温度を低下させないように暖房運転を継続させることができるものである。  
【００６２】
なお、本実施形態では、暖房運転開始時に第２圧縮機５３が主動力源として設定されると共に第１圧縮機４３が補助動力源として設定され、暖房運転は第１ヒートポンプ回路４０および第２ヒートポンプ回路５０の両方を作動させたものを前提としたが、暖房運転開始時に第２圧縮機５３が主動力源として設定されると共に第１圧縮機４３が補助動力源として設定され、暖房運転は第２ヒートポンプ回路５０のみを作動させたものであってもよく、その場合は、図６に示すタイムチャートのようになる。
【００６３】
先に説明した実施形態と比較して、図６のタイムチャートでは第１圧縮機４３の動作のみが相違するため、第１圧縮機４３の動作を中心に説明する。
第２ヒートポンプ回路５０のみを作動しての暖房運転が行われている最中に、制御装置６が、除霜開始条件が成立したと判断した場合（時間ｔ１）、第１圧縮機４３の駆動を最大回転数（９０ｒｐｓ）で開始させる、すなわち、除霜準備動作として、第１圧縮機４３の回転数を０ｒｐｓから９０ｒｐｓに増加させると共に（時間ｔ１）、第１膨張弁４５および熱源側循環ポンプ２２の駆動を開始させて第１ヒートポンプ回路４０の作動を開始させるものである。ここで、第１ヒートポンプ回路４０の作動を開始させてから所定時間が経過した後に、除霜動作を開始するようにしたことで、第１ヒートポンプ回路４０が安定した暖房能力が出せる時間が経過するまでは除霜動作の開始を待つので、安定した暖房能力を確保した状態で除霜動作を開始することができ、その上、除霜準備動作として第１圧縮機４３は最大回転数である９０ｒｐｓで駆動させることで、第２ヒートポンプ回路５０の暖房能力低下分を早急にカバーし、安定した暖房能力を確保して放熱端末３６に供給される負荷側循環液Ｌの温水温度を低下させないように暖房運転を継続させることができるものである。
【００６４】
そして、除霜動作が終了し、制御装置６が、第２圧縮機５３の駆動を再開させ（時間ｔ５）、第２ヒートポンプ回路５０の作動を再開させてから、予め設定された一定時間（時間ｔ５〜時間ｔ６）が経過したと判断すると、第１圧縮機４３の駆動を停止させると共に（時間ｔ６）、第１膨張弁４５および熱源側循環ポンプ２２の駆動を停止させて第１ヒートポンプ回路４０の作動を停止させ、第２ヒートポンプ回路５０のみを作動させての暖房運転に戻るものである（時間ｔ６〜）。このように、第２ヒートポンプ回路５０の作動再開後、一定時間（時間ｔ５〜時間ｔ６）が経過するまでは、第１ヒートポンプ回路４０の作動を継続するようにしたことで、第２圧縮機５３を主動力源とする第２ヒートポンプ回路５０が安定した暖房能力を出せるようになる時間が経過するまでは、バックアップとして作動させている第１ヒートポンプ回路４０の作動を継続させるので、暖房能力を確保しつつ第２ヒートポンプ回路５０主体の暖房運転の状態にスムーズに移行させることができるものである。
【００６５】
なお、本発明は先に説明した一実施形態に限定されるものでなく、本実施形態では、地中熱ヒートポンプユニット４の熱源として地中熱交換器２３を示したが、熱源としては、地中熱の他に、湖沼、貯水池、井戸等の水熱源も利用可能であり、外気以外の熱源を利用するものであれば種類は問わないものであり、さらに、第１熱源側熱交換器４６に供給される熱源側循環液Ｈは熱源側循環回路２０のような閉回路を循環する形態でなくてもよく、熱源側循環液Ｈは第１熱源側熱交換器４６で熱交換した後は外部に排出されるような開放式の形態であってもよいものである。
【符号の説明】
【００６６】
１  複合熱源ヒートポンプ装置
６  制御装置
３０  負荷側循環回路
３２  負荷側循環ポンプ
３６  放熱端末
４０  第１ヒートポンプ回路
４１  第１負荷側熱交換器
４３  第１圧縮機
４５  第１膨張弁
４６  第１熱源側熱交換器
５０  第２ヒートポンプ回路
５１  第２負荷側熱交換器
５３  第２圧縮機
５４  第２四方弁（切換弁）
５５  第２膨張弁
５７  第２熱源側熱交換器
Ｃ１  第１冷媒
Ｃ２  第２冷媒
Ｌ    負荷側循環液
【図１】
0006599812.tif 000002
【図２】
0006599812.tif 000003
【図３】
0006599812.tif 000004
【図４】
0006599812.tif 000005
【図５】
0006599812.tif 000006
【図６】
0006599812.tif 000007